(57)【特許請求の範囲】
【請求項１】
一端に頭部（２）を有する中空軸部（４）の外周に雄ねじ（３）を設け、前記中空軸部（４）の他端に、内径がこの中空軸部（４）と同軸芯で同径となって突出する断面略半円筒状の刃部（５）を延長状に連成し、前記刃部（５）の先端部外周面は、先端に向かって小径となる傾斜面（２１）に形成され、先端が軸心と直角の刃先（１４）となり、この刃部（５）の両側縁に刃先（１５）を設け、前記中空軸部（４）の周壁で刃部（５）の連成と反対側の位置に、周壁の開放端部から頭部（２）側に延びる２本の切れ目（１１）を平行状に設けて両切れ目（１１）間の部分に可曲片（１３）を形成したねじ付きアンカーにおいて、
上記中空軸部（４）の内面から刃部（５）の内面にわたって、可曲片（１３）と対向する位置に、取り付けねじがくいこむ突条（２２）を軸方向に沿って設け、この突条（２２）が、中空軸部（４）の内面で頭部（２）に近い位置から始まって可曲片（１３）の先端部分に向けて上り傾斜となり、可曲片（１３）の先端部分と対応する位置で中空軸部（４）の軸心に平行していることを特徴とするねじ付きアンカー。
【請求項２】
上記可曲片（１３）は内面に取り付けねじの食い込み凸部（９）が中空軸部（４）の軸方向に沿って設けられ、上記突条（２２）の先端が刃部（５）の先端刃先（１４）よりも外部に突出していることを特徴とする請求項１に記載のねじ付きアンカー。
【発明の詳細な説明】
【０００１】
【発明の属する技術分野】
この発明は、石膏ボード等の脆弱な壁面下地材に対し、各種器材等をねじで固定するための下地補強用として用いるねじ付きアンカーに関する。
【０００２】
【従来の技術】
石膏ボード等の壁面下地材に各種器材等を固定する場合、該下地材は脆弱であり、釘やねじを直接打ち込んでも効かないため、下地補強用のアンカーやプラグが必要になる。
【０００３】
従来の上記アンカーは、一端に頭部を有し、他端に刃部を連成した中空軸部の外周に雄ねじを設けた構造を有し、刃部は、円筒状のもの、円筒状で先端に鋸歯状の刃先を設けたもの、フラットな板状で先端が先鋭の刃先になったもの、先鋭の円軸状で周面に刃先形成用の凹部が設けられ、取り付けねじの進入で屈曲するもの等が採用されている。
【０００４】
【発明が解決しようとする課題】
ところで、刃部が円筒状のアンカーは、壁面下地材に向けてねじ込むとき、切削中に刃部内に切削屑が入って圧縮され、これが固い栓の状態になるため、取り付けねじを装填するとき余分な抵抗となり、壁面下地材に対するアンカーの締結力を弱めるという問題がある。また、円筒状で先端に鋸歯状の刃先を設けたものは、壁面下地材に当接させたときの接触面積が少なく、孔あけ開始時に刃先が滑って安定しないため、ねじ込み作業が行いにくいという問題がある。
【０００５】
更に、フラットな板状や円軸状の刃部の場合、壁面下地材の切り屑が外側に向かって排出されるので、アンカー装填後の仕上がりが汚くなると共に、切り屑の排出力が弱く、壁面下地材の裏面を崩しやすい。
【０００６】
しかも、取り付けねじを装填するとき、長いねじの場合、アンカーの中空軸部の底を破り、刃部を傾かせなければならず、壁面下地材に対するアンカーの締結力を弱めるという問題がある。
【０００７】
更にまた、従来の何れのアンカーも、その内径が取り付けねじのサイズに合わせて設定されているため、使用できる取り付けねじの種類がきわめて少なく、かつ、取り付けねじを取り外すとき、該ねじと一緒にアンカーが抜けてしまうという欠点がある。
【０００８】
そこで、この発明の課題は、装填後における仕上がり面がきれいで、かつ、強固な締結力が得られ、しかも、取り付けねじの取り外し時に共回りの発生がないねじ付きアンカーを提供することにある。
【０００９】
【課題を解決するための手段】
上記のような課題を解決するため、この発明は、一端に頭部を有する中空軸部の外周に雄ねじを設け、前記中空軸部の他端に、内径がこの中空軸部と同軸芯で同径となって突出する断面略半円筒状の刃部を延長状に連成し、前記刃部の先端部外周面は、先端に向かって小径となる傾斜面に形成され、先端が軸心と直角の刃先となり、この刃部の両側縁に刃先を設け、前記中空軸部の周壁で刃部の連成と反対側の位置に、周壁の開放端部から頭部側に延びる２本の切れ目を平行状に設けて両切れ目間の部分に可曲片を形成したねじ付きアンカーにおいて、上記中空軸部の内面から刃部の内面にわたって、可曲片と対向する位置に、取り付けねじがくいこむ突条を軸方向に沿って設け、この突条が、中空軸部の内面で頭部に近い位置から始まって可曲片の先端部分に向けて上り傾斜となり、可曲片の先端部分と対応する位置で中空軸部の軸心に平行している構成を採用したものである。
【００１０】
上記可曲片は内面に取り付けねじの食い込み凸部が中空軸部の軸方向に沿って設けられ、上記突条の先端が刃部の先端刃先よりも外部に突出している構造とすることができる。
【００１１】
【発明の実施の形態】
以下、この発明の実施の形態を図示例と共に説明する。
【００１２】
図示のように、アンカー１は、一端に頭部２を有し、外周に雄ねじ３が設けられた中空軸部４と、この中空軸部４の他端に連成した刃部５とで構成され、各種器材の取り付けのために、アンカー１内にねじ込む別体の取り付けねじ６が組み合わせ使用される。
【００１３】
上記中空軸部４は、外周面が刃部５側から頭部２側に向けて大径となる円形のテーパ状で、この中空軸部４の外周面に設けた雄ねじ３も刃部５側から頭部２側に向けて大径となり、頭部２は、雄ねじ３の最大径よりも少し大径で薄い構造になっている。
【００１４】
頭部２の中心にドライバーの係合溝７が十字状に設けられ、中空軸部４の軸心に沿う内部を貫通孔８が係合溝７の底部から連なって軸方向に貫通している。この貫通孔８は係合溝７に対して最大径の部分が少し小径となる十字状で、内周の四箇所の位置に凸部９を有し、該凸部９群の先端の中空軸部４の軸心を中心とする配置径は、このアンカー１と組み合わせ使用する取り付けねじ６のねじ山１０が食い込むことのできる寸法に設定されている。
【００１５】
上記中空軸部４の周壁で、刃部５の連成側と軸心を挟んで対向する位置に、この周壁の開放端部から頭部２側に延びる２本の切れ目１１、１１を、雄ねじ３の一部を分断するように平行状に設け、この両切れ目１１、１１間の部分に、中空軸部４内にねじ込んだ取り付けねじ６で押されると外方に突出する可曲片１３を形成し、前記可曲片１３は、図１（Ｅ）に示すように、両側が十字状貫通孔８の一部を形成する断面コ字状となり、その内面で両側の位置に、取り付けねじの食い込み凸部９が中空軸部４の軸方向に沿って同じ高さで連続するように設けられている。
【００１６】
前記刃部５は、中空軸部４の下端と同径のストレートな断面略半円筒状となり、中空軸部４と同軸心状で突出し、中空軸部４の端部に開放端部を残すように連成され、先端部周囲と両側の側縁が刃先１４、１５になっている。
【００１７】
上記のような構造のアンカー１において、中空軸部４の長さＬ１ と壁面下地材となるボード１８の厚みｔとの関係は、Ｌ１ ≧ｔの関係に設定され、刃部５の長さＬ２ とボード１８の厚みｔとの関係は、Ｌ２ ≧ｔの関係に設定されている。
【００１８】
また、刃部５の内径Ｄ１ と取り付けねじ６のねじ山１０における山径ｄの関係は、Ｄ１ ≧ｄに設定されている。
【００１９】
前記刃部５は断面略半円筒状で中空軸部４と内径が同軸心状かつ同径となって突出し、この刃部５の先端部外周面は、先端に向けて小径となる傾斜面２１に形成され、先端が軸心と直角の刃先１４になり、両側縁も刃先１５になっている。
【００２０】
また、中空軸部４の内面で可曲片１３の凸部９と軸心を挟んで対向する二箇所の位置に、取り付けねじの食い込み凸部９が軸方向に沿って設けられ、更に、中空軸部４の内面で可曲片１３と対向する部分から刃部５の内面にわたって、取り付けねじ６が食い込む突条２２が軸方向に沿って設けられている。
【００２１】
この突条２２は、図１（Ｅ）に示すように、中空軸部４の凸部９間に位置し、図１（Ｆ）の如く、中空軸部４の内面で頭部２に近い位置から始まって可曲片１３の先端部分に向けて上り傾斜となり、可曲片１３の先端部分と対応する位置で中空軸部４の軸心に平行し、その先端が刃部５の先端刃先１４よりも外部に、外周が先鋭な弧状となって少し突出し、この突出部分がねじ込み時の安定を図る錐先２３の役目をするようになっている。
【００２２】
この発明のねじ付きアンカー１は、上記のような構成であり、石膏ボード１８等に各種器材１９を固定するには、図２（Ａ）に示すように、頭部２の係合溝７にドライバー２０を係合させ、アンカー１の刃部５の先端に突出する錐先２３をボード１８に突き刺し、アンカー１の回転軸心を固定させながら回転させると、先鋭の刃先となる錐先２３が定位置での回転を維持しつつ石膏ボード１８を穿孔し、続いて先端の刃先１４が該ボード１８を円形に切り込んでいくと同時に側面の刃先１５がボード１８を切削し、これによって刃部５はボード１８内に進入していく。
【００２３】
このとき、刃部５は、断面略半円形になっているので、切削屑がボード１８の表面側に出ることがなく、アンカー１のねじ込み後におけるボード１８の表面の仕上がりが美しいと共に、刃部５は断面略半円形であるので、周壁の一部が開放し、ボード１８を貫通した後は、内部に閉じ込めた切削屑の排出性がよく、アンカー１内にねじ込んだ取り付けねじ６の押圧で簡単に離脱させることができ、取り付けねじ６のねじ込みに余分な抵抗を与えることはない。
【００２４】
刃部５がボード１８を切り抜いて下孔を形成すると、中空軸部４がこの下孔に進入し、中空軸部４の外周に設けた雄ねじ３が下孔にしっかりとくい込むようにねじこまれていき、頭部２がボード１８の表面に当接した状態でアンカー１はボード１８に固定化される。
【００２５】
この状態で、図２（Ｂ）の如く、頭部２に重ねた器材１９からアンカー１の中空軸部４内に取り付けねじ６をねじ込むと、取り付けねじ６は、中空軸部４の貫通孔８の内周において、各凸部９にタッピングしながら進入する。
【００２６】
取り付けねじ６が中空軸部４内を進入するとき、突条２２の上り傾斜に食い込みながら乗り上げていき、これにより、取り付けねじ６は突条２２の上り傾斜側へ傾斜を生じながら進入し、この傾斜で可曲片１３を外方に押出し、可曲片１３はボード１８を部分的に圧縮しながら中空軸部４の外周よりも外方へ突出し、ボード１８に対するアンカー１の回り止め状態を確保し、アンカー１及び取り付けねじ６の耐引き抜き強度が得られ、図２（Ｂ）のように、取り付けねじ６を完全にねじ込むと、中空軸部４の軸心に対して取り付けねじ６が傾斜した状態で貫通し、アンカー１を下地補強材として取り付けねじ６による器材１９の強固な固定が可能になる。
【００２７】
次に、器材１７を取り外すために取り付けねじ６を緩める方向に回転させると、アンカー１に取り付けねじ６の回転方向の回転モーメントが加わることになるが、アンカー１は可曲片１３が外方に突出しているため回り止め状となり、かつ、可曲片１３の突出により、アンカー１の回転モーメントに対する抵抗力は中心軸に対して非対称となり、そのため、取り付けねじ６を緩める方向に回転させても、アンカー１の共回り発生がなく、アンカー１をボード１８に残した状態で器材１９を取り外すことができる。
【００２８】
【発明の効果】
以上のように、この発明によると、取り付けねじをねじ込む中空軸部に略半円筒状で先端が刃先となる刃部を連成し、この中空軸部の周壁に切れ目を入れ、該切れ目で囲まれた部分を、中空軸部内にねじ込んだ取り付けねじで押されて外方に突出する回り止め用の可曲片に形成したねじ付きアンカーにおいて、中空軸部の内面から刃部の内面にわたって、可曲片と対向する位置に、中空軸部の内面で頭部に近い位置から始まって可曲片の先端部分に向けて上り傾斜となり、可曲片の先端部分と対応する位置で中空軸部の軸心に平行している突条を設けたので、取り付けねじはねじ込みで突条の傾斜部分に乗り上げて傾斜し、この傾斜によって可曲片を外方に突出させ、従って、外方に突出した可曲片によって耐引き抜き強度の向上が図れると共に、取り付けねじの取り外し時にアンカーの共回り発生がなく、アンカーの抜けを確実に防止できる。
【００２９】
更に、壁面下地材に対して刃先の先端が安定よく接触し、ねじ込み操作が円滑に行えると共に、刃部は断面略半円筒状であるので、切り屑が内部に納まって壁面下地材の表面に出なくなり、アンカー装填後の美しい仕上がりが得られる。
【図面の簡単な説明】
【図１】（Ａ）はこの発明のアンカーを示す正面図、（Ｂ）は同側面図、（Ｃ）は同平面図、（Ｄ）は同底面図、（Ｅ）は（Ａ）の矢印ｅ−ｅの断面図、（Ｆ）はアンカーの縦断側面図
【図２】（Ａ）はボードに対するアンカーのねじ込み初期の状態を示す縦断面図、（Ｂ）はアンカーに取り付けねじで器材を固定した縦断面図
【符号の説明】
１   アンカー
２   頭部
３   雄ねじ
４   中空軸部
５   刃部
６   取り付けねじ
７   係合溝
８   貫通孔
９   凸部
１１   切れ目
１２   傾斜突部
１３   可曲片
１４、１５   刃先
１８  ボード
２１   傾斜面
２２   突条
２３  錐先
【図１】
0004031125.tif 000002
【図２】
0004031125.tif 000003